(57)【要約】  軸方向の荷重を伝達する非電導性張力ストリング（１５）を備えた多導体ケーブル（１０）用コネクタプラグであって、ケーブル（１０）の導体（１３、１４）に取付けられた多数の接触要素（２６）を担持し、そして整合するジャックに接続される対応する接触要素と係合するようにされるケーシング（２４）が設けられ、また張力ストリング（１５）はケーブル（１０）の端部に取付けられた環状要素（１８）を介してケーシング（２４）に対して固定され、またケーブル（１０）の張力ストリング（１５）に堅固に取付けられ環状要素（１８）と確実に係合する横断ピン（１９）を備え、環状要素（１８）はケーシング（２４）の内部肩部（２５）と係合するようにケーブルの外部断面寸法よりも大きな外径をもつリム部（２０）を有し、横断ピン（１９）及び環状要素（１８）を介してケーブル（１０）の張力ストリング（１５）からケーシング（２４）さらには接続された整合するジャックへの軸方向荷重の伝達を可能にする。  【選択図】図１
2010520600.tif 000002
【特許請求の範囲】
【請求項１】
軸方向の荷重を伝達する非電導性ストリング（１５）を備えた多導体ケーブル（１０）用のコネクタプラグであって、
整合するジャックのコネクタ要素と係合するケーブル（１０）の導体（１３、１４）に接続される多数の接触要素（２６）を備えたケーシング（２４）を有し、軸方向の荷重を伝達する非電導性ストリング（１５）が荷重伝達装置を介してケーシング（２４）に対して固定され、
荷重伝達装置が、
ケーブル（１０）の端部に取付けられ、しかもケーブル（１０）の長手方向に対して横切る平面に伸長し、ケーブル（１０）の外径断面寸法よりも大きな外径をもつ外部リム部（２０）を備えた環状要素（１８）と、
環状要素（１８）を横切って配置されかつ環状要素（１８）と係合し、そして非電導性ストリング（１５）に堅固に取付けられる横断ピン（１９）と、
軸方向の荷重を非電導性ストリング（１５）からケーシング（２４）へ伝達するためにリム部（２０）によって係合するようにケーシング（２４）に配置された環状肩部（２５）と、
を備えていることを特徴とするコネクタプラグ。
【請求項２】
ケーブル（１０）が、それぞれ電力導体（１３）及び信号導体（１４）用の別個の２つの第一及び第二の部分（Ａ、Ｂ）と、前記第一及び第二の部分（Ａ、Ｂ）の間に配置され、非電導性ストリング（１５）を備える中央部分（Ｃ）とで構成された平型ケーブルであることを特徴とする請求項１に記載のコネクタプラグ。
【請求項３】
ケーブル（１０）の端部、環状要素（１８）及び横断ピン（１９）が、ケーブル（１０）の外部に施される樹脂系材料のモールド（２１）内に統合されることを特徴とする請求項１又は請求項２に記載のコネクタプラグ。
【請求項４】
モールド（２１）が、ケーブル（１０）の端部に隣接して円形断面をもつ円筒状部分（２２）と、円筒状部分（２２）からケーブル（１０）に沿って伸長する２つの先細タング（２３）とを備えていることを特徴とする請求項３に記載のコネクタプラグ。
【発明の詳細な説明】
【技術分野】
【０００１】
本発明は、移動式機器と固定式ユニットとの間で電力及び／又は電気信号を伝送するために、多導体コネクタを整合ジャックに接続するコネクタプラグに関するものである。特に、本発明は、移動式機器の取扱い中にケーブルの受け得る張力荷重を取り除いて、ケーブルの導体を保護することを目的とした張力荷重伝達手段を有する多導体コネクタケーブル用のコネクタプラグに関するものである。この種のケーブルは、電動工具と固定式駆動制御ユニットとを相互接続するのに適している。
【背景技術】
【０００２】
例えば、特許文献１に記載された上記型の従来公知の多導体ケーブルは、平面形状の３つの部分から構成され、第一の部分は動力工具を付勢するための多数の電力導体を収容し、第二の部分は多数の信号導体を収容し、また第三の部分は他の２つの部分の間に配置され、ケブラー（デュポン社の登録商標）のような適当な高い強度の材料製の非電導型張力荷重伝達ストリング或いはロープを収容している。
【先行技術文献】
【特許文献】
【０００３】
【特許文献１】米国特許第５，７５０，９３２号
【発明の概要】
【発明が解決しようとする課題】
【０００４】
上記型のケーブルに関わる問題点は、コネクタプラグにおける張力荷重伝達ストリングの安全で十分な固定を得ること、及び移動式機器或いは固定式ユニットの何れにおいてもコネクタプラグさらには接続されたジャックへの張力荷重の正確な伝達を保証することにある。
【０００５】
本発明の主たる目的は、コネクタプラグに相対した張力荷重伝達ストリングを安全に固定するようにしてケーブルに接続されたコネクタプラグに固定され、且つコネクタプラグハウジングを大きな歪みに晒すことがなく、しかもコネクタプラグハウジングをプラスチックのような張力の低い材料で作ることができる、張力荷重伝達ストリングを備えた多導体ケーブルを提供することにある。
【０００６】
本発明のさらなる目的及び利点は以下の説明及び特許請求の範囲から明らかになる。
【０００７】
以下添付図面を参照して本発明の好ましい実施形態について詳細に説明する。
【図面の簡単な説明】
【０００８】
【図１】本発明によるコネクタプラグを備える平型多導体ケーブルの斜視図。
【図２】外部モールドを取り外した状態で、軸方向荷重伝達手段を例示する多導体ケーブルの斜視図。
【図３Ａ】外部プラグケーシング及び外部モールドを取り外した状態で、軸方向荷重伝達ストリングの固定手段を例示する多導体ケーブルの斜視図。
【図３Ｂ】図３Ａのケーブル端部の拡大図。
【図４】軸方向荷重伝達ストリングの固定手段を例示しているケーブル及びコネクタプラグの長手方向断面図。
【図５】軸方向荷重伝達ストリングを備えた多導体ケーブルの断面図。
【図６】図４における線VI−VIに沿った断面図。
【発明を実施するための形態】
【０００９】
図示された装置は多導体心ケーブル１０を有し、多導体心ケーブル１０は、図示されていない整合するコネクタジャックに接続するコネクタプラグ１１に接続されている。図５で示されるように、従来公知型の多導体ケーブル１０は、３つの部分から構成されている、すなわち第一の部分Ａは多数の電力伝送線１３を備え、第二の部分Ｂは多数の信号伝送線１４を備え、また第三の部分Ｃはそれぞれ第一及び第二の部分セクションＡ及びＢの間に配置され、非導電性張力荷重伝達ストリング１５を備えている。非導電性張力荷重伝達ストリング１５は、ケブラー（デュポン社の登録商標）のような強度の高い材料で構成され、使用中ケーブル１０の受け得るあらゆる軸方向の荷重を伝達するようにされている、その結果、ケーブルのユーザーにとってはケーブルの修理或いは交換及び生産の中止の両方に起因した経費が嵩む機械的な歪み及び起こり得る破裂から電線１３及び１４を保護している。上述のように、この種のケーブルは特許文献１に記載されている。
【００１０】
軸方向荷重伝達手段の重要な部分は、プラグ１１が接続されるジャックに軸方向の荷重が適切に伝達され得るようにコネクタプラグ１１に対して張力ストリング１５を固定することである。この目的で、ケーブル１０には、ケーブル１０の端部に取り付けられかつケーブル１０の長手方向に対して横方向の平面に伸長する環状要素１８と、荷重伝達ストリング１５に堅固に取り付けられかつ環状要素１８を横切って配置され確実に環状要素１８と係合する横断ピン１９とを包含する荷重伝達装置が設けられている。環状要素１８は、ケーブル１０の最大外径断面寸法よりも大きな外径を有する外部リム部２０を備えている。環状要素１８は２つの翼部１７ａ、１７ｂを備え、これら２つの翼部１７ａ、１７ｂは環状要素１８全体と共に、ケーブル１０に適用される補強モールド２１によってケーブル１０に一体に構成されて固定されている。翼部１７ａ、１７ｂは、ケーブル１０に対して環状要素１８を回転式に固定する固定手段を形成するようにされている。
【００１１】
モールド２１は、コネクタプラグ１１へのケーブル接続を容易にするためにケーブル１０の端部に近接して配置された断面円形の円筒状部分２２と、ケーブル１０がその本来の平型形状を継続して回復するように円筒状部分２２から離間する方向でケーブル１０の両側に且つケーブル１０に沿って伸長する２つの先細タング２３とを備えている。環状要素１８及び横断ピン１９の取り付け後、ケーブル１０に適用されるモールド２１は、環状要素１８の両側を覆い、且つ環状要素１８に対して適切な位置に横断ピン１９を埋め込んで固定する。図２参照。
【００１２】
図１及び図４に例示しているように、コネクタプラグ１１は、横断ピン１９及び環状要素１８を介して張力ストリング１５からコネクタプラグ１１に軸方向の荷重を伝達するため、環状要素１８のリム部２０と係合するよう配置されている内部環状肩部２５を備えた外部ケーシング２４を備えている。従って、プラグ１１が整合するジャックに接続される際、ケーブルが受け得る軸方向の荷重は、プラグのケーシング２４からジャック及びジャックが取り付けられている構造体へと伝達され、その結果、あらゆる有害な軸方向の歪みをケーブル１０の線１３、１４が受けるのを安全に阻止している。プラグ１１のケーシング２４は、その正面端部に、多数の接触（接点）要素２６を担持し、これらの接触要素２６はケーブル１０の線１３、１４に取付けられ、また整合するジャックにおける対応した接触（接点）要素と係合するようにされている。ケーシング２４はまた、プラグ１１をジャックに安全に固定するため、整合するジャックに整合する装置を係合するための保持手段２８を備えている。
【００１３】
さらにプラグケーシング２４は、ケーブル１０の端部分のまわりに装着される２つの半体２４ａ、２４ｂから構成されている、またモールド２１の円筒状部分２２には２つの平坦部２７ａ、２７ｂが形成され、これらの平坦部２７ａ、２７ｂは、ケーシング半体２４ａ、２４ｂの図示していない対応する平坦部と共動する回転ロック手段を形成するようにされ、それにより、ケーシング２４をケーブル１０に回転式に固定する。図６参照。従って、環状要素１８の翼部１７ａ、１７ｂと平坦部２７ａ、２７ｂは、プラグケーシング２４にケーブル１０を回転式に固定するために、ケーシング半体２４ａ、２４ｂの図示していない平坦部と共動する。
【符号の説明】
【００１４】
１０  ケーブル
１１  コネクタプラグ
１３  送電線
１４  信号伝送線
１５  荷重伝達張力ストリング
１７ａ、１７ｂ  翼部
１８  環状要素
１９  横断ピン
２０  リム部
２１  補強モールド
２２  円筒状部分
２３  先細タング
２４  外部ケーシング
２４ａ、２４ｂ  半体
２５  環状肩部
２６  接触要素
２７ａ、２７ｂ  平坦部
２８  保持要素
【図１】
2010520600.tif 000003
【図２】
2010520600.tif 000004
【図３Ａ】
2010520600.tif 000005
【図３Ｂ】
2010520600.tif 000006
【図４】
2010520600.tif 000007
【図５】
2010520600.tif 000008
【図６】
2010520600.tif 000009
【国際調査報告】
2010520600.tif 000010
2010520600.tif 000011
2010520600.tif 000012